(57)【要約】【課題】比較的小さな水栓カバーを、より安いコストで、水栓に簡単に取り付けられるようにする。【解決手段】本発明の水栓カバー取付金具3は、水栓本体11の雄ネジ付き吐水口11Aにねじ嵌められる雌ネジ付き口部材と、口部材の外周部に回動可能に取り付けられて水栓カバー2を受けるカバー受け部材32とを備える。カバー受け部材32には、水栓カバー2下端面のビス孔21にねじ込まれるビス4を挿通させるための貫通孔321，322があけられている。【選択図】  図１
2004204465.tif 000002
【特許請求の範囲】
【請求項１】
水栓本体(11)の下向き先端部に雄ネジ(111)付き吐水口(11A)が形成されている水栓(1)に、水栓本体(11)の少なくとも先端部を上方から被覆する水栓カバー(2)を取り付けるための金具(3)であって、
吐水口(11A)にねじ嵌められる雌ネジ(311)付き口部材(31)と、口部材(31)の外周部に回動可能に取り付けられて水栓カバー(2)を受けるカバー受け部材(32)とを備え、カバー受け部材(32)には、水栓カバー(2)の下端面に設けられたビス孔(21)にねじ込まれるビス(4)を挿通させるための貫通孔(321)(322)があけられている、水栓カバー取付金具。
【発明の詳細な説明】
【０００１】
【発明の属する技術分野】
本発明は、水栓に水栓カバーを取り付ける際に用いられる金具に関する。
【０００２】
【従来の技術】
本発明者は、水栓本体等を装飾カバーで被覆してなる装飾水栓を先に提案した（特許文献１参照）。
【０００３】
この装飾水栓にあっては、水栓本体の雄ネジ付き吐水口に、水平受け部を有する下側カバー挟持部材がねじ嵌められ、水栓本体上部のパッキン押さえにこれと一体に形成された雄ネジ付き上方突出筒状部に、上側カバー挟持部材がねじ嵌められ、両側のカバー挟持部材により装飾カバーが挟み止められるようになされていた。上記の装飾水栓によれば、通常の水栓に装飾カバーを簡単に取り付けることができる上、装飾カバーのみの交換も可能である。
【０００４】
【特許文献１】
実用新案登録第３０７３１５１号明細書（実用新案登録請求の範囲、図１）
【０００５】
【発明が解決しようとする課題】
しかしながら、上記装飾水栓の場合、装飾カバーを取り付けるためには、上下２つのカバー挟持部材が必要となるため、ややコストが高くなるうらみがあった。また、装飾カバーのサイズを、両挟持部材で挟み止めることのできるような、比較的大きなものにしなければならなかった。即ち、上述した上下２つのカバー挟持部材によっては、例えば、水栓本体の先端部のみを被覆するカバーを取り付ける、といったことができなかった。
【０００６】
本発明の目的は、比較的小さな水栓カバーを、より安いコストで、水栓に簡単に取り付けられるようにすることにある。
【０００７】
【課題を解決するための手段および発明の効果】
本発明による水栓カバー取付金具は、水栓本体の下向き先端部に雄ネジ付き吐水口が形成されている水栓に、水栓本体の少なくとも先端部を上方から被覆する水栓カバーを取り付けるためのものであって、吐水口にねじ嵌められる雌ネジ付き口部材と、口部材の外周部に回動可能に取り付けられて水栓カバーを受けるカバー受け部材とを備えている。カバー受け部材には、水栓カバーの下端面に設けられたビス孔にねじ込まれるビスを挿通させるための貫通孔があけられている。
【０００８】
上記取付金具によって水栓カバーを水栓に取り付ける場合、まず、口部材を吐水口にねじ嵌めて、カバー受け部材で水栓カバーを受けるようにする。この際、水栓カバーのビス孔とカバー受け部材の貫通孔とが合致するように、カバー受け部材を所要方向に所要角度回動させることができる。そして、カバー受け部材の貫通孔を通して、水栓カバーのビス孔にビスをねじ込む。こうして、水栓カバーを水栓に取り付けることができる。
【０００９】
したがって、本発明の水栓カバー取付金具によれば、例えば、水栓本体の先端部のみを被覆するような比較的小さい水栓カバーであっても、水栓に簡単に取り付けることができる上、同金具のみで水栓カバーの取付ができ、コストが抑えられる。
【００１０】
本発明の取付金具によって水栓に取り付けられる水栓カバーは、通常、所要の立体的装飾が施された鋳物製等の装飾カバーである。但し、高温水を吐出させる水栓を被覆して火傷等を防止する合成樹脂製等の断熱カバーについても、本発明の取付金具によって同様に水栓に取り付けることができる。
【００１１】
水栓カバーの下端面にあけられるビス孔は、通常２つ以上であり、これらに対応するカバー受け部材の貫通孔も、通常２つ以上である。上記の場合、少なくとも１つの貫通孔を長孔にしておくことが好ましく、それによって、水栓カバーのビス孔とカバー受け部材の貫通孔との寸法誤差を吸収することができる。
【００１２】
【発明の実施の形態】
図１および２を参照して、本発明の実施の形態を以下に説明する。なお、以下の説明において、「前」とは図１の左をいい、「後」とは同右をいうものとする。
【００１３】
図１に示す水栓(1)は、壁に取り付けられる横水栓であって、後端部に給水管接続口(11B)を有し、前端部に下向きの吐水口(11A)を有する水栓本体(11)を備えている。吐水口(11A)には雄ネジ(111)が形成されている。水栓本体(11)内の長さ中間部に弁座(112)が形成されるとともに、その上方に上方突出筒部(113)が形成されている。上方突出筒部(113)内には、スピンドル(12)が収容されている。スピンドル(12)の下端には、弁座(112)に当接離間させられる弁体(131)を有する水栓コマ(13)が取り付けられている。上方突出筒部(113)の上端部には、パッキン（図示略）を介して、パッキン押さえ(14)がねじ嵌められている。パッキン押さえ(14)を貫通して上方に突出したスピンドル(12)上端部には、鋳物製の蝶ハンドル(15)が取り付けられている。
【００１４】
水栓(1)は、その水栓本体(11)の先端部（前端部）が、水栓カバー(2)によって上方から被覆されている。水栓カバー(2)は、図１および２に示すように、鳳凰の頭部を模した鋳物製のものであって、その下面および後面が開口している。水栓カバー(2)の下端面には、左右２つのビス孔(21)があけられている（図２参照）。
【００１５】
水栓カバー(2)は、図１に示すように、水栓カバー取付金具(3)によって、水栓(1)に取り付けられている。水栓カバー取付金具(3)は、図１および２に示すように、吐水口(11A)にねじ嵌められる雌ネジ(311)付き口部材(31)と、口部材(31)の外周部に取り付けられて水栓カバー(2)を受けるカバー受け部材(32)とを備えている。
【００１６】
口部材(31)は、銅合金等の金属製であって、前記雌ネジ(311)を有する径大筒部(31A)と、径大筒部(31A)の下方に段差(312)を介して一体に設けられかつ雄ネジ(313)を有する径小筒部(31B)とを備えている。径大筒部(31A)の上端部外周面には、切欠き(314)が設けられている。径大筒部(31A)の外周面には、前記切欠き(314)を除いてローレット(315)が形成されている（図２参照）。径小筒部(31B)には、ホース等の基端部に設けられた雌ネジ付き管継手（図示略）が接続されるようになっている。口部材(31)の段差(312)と吐水口(11A)下端面との間には、Ｏリング等のパッキン(5)が介在されている。なお、口部材(31)は、上記構造には限定されず、例えば、径小筒部(31B)に代えてワンタッチジョイント用プラグを設けてもよい。
【００１７】
カバー受け部材(32)は、銅合金等の金属により形成された水平環板状のものである。カバー受け部材(32)には、水栓カバー(2)下端面の２つのビス孔(21)にねじ込まれるビス(4)を挿通させるための２つの貫通孔(321)(322)が左右対称位置にあけられている。一方の貫通孔(321)は円孔となされ、他方の貫通孔(322)は周方向にやや長い長孔となされている。このカバー受け部材(32)は、口部材(31)の径大筒部(31A)の切欠き(314)に嵌められて、切欠き(314)の内側の径大筒部(31A)薄肉部分をやや緩めにかしめることにより、口部材(31)の外周部に回動可能に取り付けられている。水栓カバー(2)のビス孔(21)とカバー受け部材(32)の貫通孔(321)(322)とが合致しない場合には、カバー受け部材(32)を口部材(31)に対して所要方向に所要角度だけ回動させればよい。そして、カバー受け部材(32)の貫通孔(321)(322)を通して水栓カバー(2)の各ビス孔(21)にビス(4)がねじ込まれ、これにより水栓カバー(2)が水栓(1)に取り付けられている。
【００１８】
なお、上記の実施形態はあくまでも例示にすぎず、特許請求の範囲に記載された本発明の要旨を逸脱しない範囲内で適宜に変更を加えた上で本発明を実施することも勿論可能である。
【図面の簡単な説明】
【図１】本発明の実施形態を示すものであって、水栓カバー固定金具によって水栓カバーを水栓に固定した状態の縦断面図である。
【図２】図１の水栓カバーおよび水栓カバー取付金具の分解斜視図である。
【符号の説明】
(1)：水栓
(11)：水栓本体
(11A)：吐水口
(111)：雄ネジ
(2)：水栓カバー
(21)：ビス孔
(3)：水栓カバー取付金具
(31)：口部材
(311)：雌ネジ
(32)：カバー受け部材
(321)(322)：貫通孔
【図１】
2004204465.tif 000003
【図２】
2004204465.tif 000004